(57)【要約】【課題】口金筐体自体への大幅変更を不要とし、強度及び耐衝撃性の高い口金を提供する。【解決手段】アース口金３００Ｅ−１は、口金筐体１００、アース端子１５０、ホルダー２００を備える。口金筐体１００は、ベース部１１０と、ベース部１１０の周縁から起立する環状の壁部１２０と、ベース部１１０から起立する突出筒部１３０と、壁部１４０の内周側に形成されたホルダー係止用フック１４０（１４０ａ）とを有する。ホルダー２００は、ベース部１００と壁部１２０とで形成される空間に収納される。ホルダー２００は、ホルダー係止用フック１４０と係合して口金筐体１００に対する壁部の起立方向への移動を拘束するホルダー側係合部２２０と、ベース部１１０に加わる力による突出筒部１３０の壁部の起立方向への変位を、突出筒部１３０の先である突出先端部１３１と当たることで抑制するホルダー側変位抑制部２３０とを有する。【選択図】図１１
2015018735.tif 000002
【特許請求の範囲】
【請求項１】
板状のベース部と、
前記ベース部の周縁から前記ベース部の厚さの厚さ方向のうち一方の厚さ方向に起立する環状の壁部と、
前記壁部の内側で前記ベース部から前記壁部が起立する壁部起立方向に起立する突部と、
前記壁部の内周側に形成された係合部と
を有する筐体と、
前記筐体の前記ベース部と前記壁部とで形成される空間に収納される被収納体であって、前記筐体の前記係合部と係合して前記筐体に対する前記壁部起立方向への移動を拘束するホルダー側係合部と、
前記ベース部に加わる力による前記突部の前記壁部起立方向への変位を、前記突部の先と当たることで抑制するホルダー側変位抑制部と
を有する被収納体と
を備えたことを特徴とする口金。
【請求項２】
前記筐体は、
前記壁部起立方向と反対方向に前記ベース部から起立する柱状の柱状部を有することを特徴とする請求項１記載の口金。
【請求項３】
前記被収納体は、さらに、
板状をなすと共に前記筐体の前記ベース部に対向して配置されるホルダー側ベース部を有し、
前記ホルダー側係合部は、
板状の前記ホルダー側ベース部の外周側に形成され、
前記ホルダー側変位抑制部は、
前記ベース部に対向する側の前記ホルダー側ベース部の一部であることを特徴とする請求項２記載の口金。
【請求項４】
前記ホルダー側ベース部は、
前記ベース部に対向する側の反対側に周縁の一部に沿って配置され、長手形状をなすヒートシンクの一端が取り付けられるヒートシンク取付部を有すること特徴とする請求項３記載の口金。
【請求項５】
前記筐体は、
導体で形成され、前記ベース部を貫通する二本の給電端子を有し、
前記突部は、
前記ベース部から前記壁部起立方向に起立する前記二本の給電端子の一端であることを特徴とする請求項２〜４のいずれかに記載の口金。
【請求項６】
請求項２〜５のいずれかに記載の口金を備えたことを特徴とする照明ランプ。
【請求項７】
貫通穴が形成された円盤状のベース部と、
前記ベース部の周縁から前記ベース部の厚さの厚さ方向のうち一方の厚さ方向に起立する環状の壁部と、
前記壁部の内側で前記ベース部の略中央から前記壁部が起立する壁部起立方向に起立する柱状の突部と
を有する口金と、
長手形状をなすと共に前記長手形状の一方の端部が前記口金に取り付けられるヒートシンクであって、
前記長手形状の前記一方の端部にネジ穴が形成されたネジ穴部と、
前記ベース部に加わる力による前記突部の前記壁部起立方向への変位を、前記突部の先と当たることで抑制する変位抑制部と
を有するヒートシンクと、
前記口金の前記ベース部の前記貫通穴を貫通し、前記ヒートシンクの前記ネジ穴部の前記ネジ穴にネジ込まれて前記口金に前記ヒートシンクの前記一方の端部を固定するネジと
を備えたことを特徴とする照明ランプ。
【請求項８】
前記口金は、
前記ヒートシンクに対する固定位置を位置決めする位置決め部を有することを特徴とする請求項７記載の照明ランプ。
【請求項９】
前記口金は、
前記突部が起立する反対側において前記突部と略同じ位置から前記壁部起立方向と反対方向に前記ベース部から起立する柱状の柱状部を有することを特徴とする請求項７または８のいずれかに記載の照明ランプ。
【請求項１０】
前記柱状部は、
導体と樹脂とのいずれかで形成されたことを特徴とする請求項６または９のいずれかに記載の照明ランプ。
【請求項１１】
前記照明ランプは、
直管形ランプであることを特徴とする請求項６〜１０のいずれかに記載の照明ランプ。
【請求項１２】
請求項６〜１１のいずれかに記載の照明ランプと、
前記口金が取り付けられるソケットが設けられた器具本体と
を備えたことを特徴とする照明器具。
【発明の詳細な説明】
【技術分野】
【０００１】
この発明は、口金、照明ランプ及び照明器具に関する。
【背景技術】
【０００２】
従来、例えばＧＸ１６のアース口金は、アース端子あるいはアース端子が突き出るアース端子の根元周辺の筐体の部分に衝撃が加わると、口金筐体（樹脂キャップ）が破損する場合があった。照明装置のソケットに直管形ＬＥＤランプを装着する際に、衝撃破損による製品ロスや、破損状態でランプが装着される安全上のリスクを回避する必要がある。この点に関して、従来技術では、口金に補強部を設けて強度を向上する技術がある（例えば特許文献１）。
【先行技術文献】
【特許文献】
【０００３】
【特許文献１】特開２０１２−２１６３０３号公報
【発明の概要】
【発明が解決しようとする課題】
【０００４】
しかし従来技術では口金筐体自体に変更が必要であり、口金筐体の金型への大幅な変更、あるいは金型の新設が必要となる可能性がある。
【０００５】
この発明は、口金筐体自体に大幅な変更をすることなく、強度及び耐衝撃性の高い口金を提供することを目的とする。
【課題を解決するための手段】
【０００６】
この発明の口金は、
板状のベース部と、
前記ベース部の周縁から前記ベース部の厚さの厚さ方向のうち一方の厚さ方向に起立する環状の壁部と、
前記壁部の内側で前記ベース部から前記壁部が起立する壁部起立方向に起立する突部と、
前記壁部の内周側に形成された係合部と
を有する筐体と、
前記筐体の前記ベース部と前記壁部とで形成される空間に収納される被収納体であって、前記筐体の前記係合部と係合して前記筐体に対する前記壁部起立方向への移動を拘束するホルダー側係合部と、
前記ベース部に加わる力による前記突部の前記壁部起立方向への変位を、前記突部の先と当たることで抑制するホルダー側変位抑制部と
を有する被収納体と
を備えたことを特徴とする。
【発明の効果】
【０００７】
この発明により、口金筐体自体に大幅な変更をすることなく、強度及び耐衝撃性の高い口金を提供できる。
【図面の簡単な説明】
【０００８】
【図１】実施の形態１の図で、照明器具１０００の斜視図。
【図２】図１のＸ方向矢視の図。
【図３】実施の形態１の図で、照明ランプ９００の平面図及び斜視図。
【図４】実施の形態１の図で、アース端子１５０を装着した口金筐体１００の斜視図。
【図５】図４の上面図及び底面図。
【図６】図５のＡ−Ａ断面図及びＢ−Ｂ断面図。
【図７】実施の形態１の図で、ホルダー２００の斜視図。
【図８】実施の形態１の図で、ホルダー２００の別の方向の斜視図。
【図９】実施の形態１の図で、ホルダー２００の六面図。
【図１０】図９（ａ）のＡ−Ａ断面図。
【図１１】実施の形態１の図で、照明ランプ９００組立て後の口金筐体１００とホルダー２００との位置関係を示す図。
【図１２】実施の形態１の図で、口金筐体１００と、ホルダー２００と、光源ユニット７００との関係を示す図。
【図１３】図１２の光源ユニット７００のＨ−Ｈ断面図。
【図１４】実施の形態１の図で、照明ランプ９００の組立て工程を示す図。
【図１５】実施の形態１の図で、照明ランプ９００の組立て工程を示す図。
【図１６】実施の形態１の図で、照明ランプ９００の組立て工程を示す図。
【図１７】実施の形態１の図で、照明ランプ９００の組立て工程を示す図。
【図１８】実施の形態１の図で、ホルダー係止用フック１４０を示す図。
【図１９】実施の形態１の図で、照明ランプ９００の組立て工程における、ホルダー係止用フック１４０とホルダー側係合部２２０との係合を模式的に示す図。
【図２０】実施の形態２のアース口金３００Ｅ−２の口金筐体１００を示す図で、（ａ）は上面図、（ｂ）は底面図、（ｃ）は（ｂ）のＡ−Ａ断面図。
【図２１】実施の形態２の図で、口金筐体１００と、筒管６００に挿入された光源ユニット７００との関係を示す図。
【図２２】実施の形態２の図で、照明ランプ９００の組立て後の状態を示す図。
【図２３】実施の形態２の図で、照明ランプ９００の組立て工程を示す図。
【図２４】実施の形態２の図で、照明ランプ９００の組立て工程を示す図。
【図２５】実施の形態２の図で、照明ランプ９００の組立て工程を示す図。
【図２６】実施の形態３の図で、給電口金３００Ｆ−３の正面図、左側面図、右側面図。
【図２７】図２６のＡ−Ａ断面図及びＢ−Ｂ断面図。
【発明を実施するための形態】
【０００９】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１〜図１９を参照して実施の形態１のアース口金３００Ｅ−１及び照明ランプ９００を説明する。実施の形態１のアース口金３００Ｅ−１の特徴は以下の様である。アース口金３００Ｅ−１は、後述の図４の口金筐体１００、アース端子１５０及び後述の図７のホルダー２００を備える。アース口金３００Ｅ−１は照明ランプ９００組立て完成状態で、後述の図１１に示すように、突出筒部１３０の突出先端部１３１とホルダー側変位抑制部２３０との間に１ｍｍ程度の隙間が有る。照明ランプ９００において、アース端子１５０あるいは口金筐体１００のベース部１１０に力が加わると、ベース部１１０が弾性変形して突出先端部１３１が突出筒部１３０の突起方向（後述の壁部起立方向１２方向）へ変位する。そのとき突出先端部１３１はホルダー側変位抑制部２３０に当たることで変位が抑制され、突出筒部１３０（突出先端部１３１）の矢印１２（後述の壁部起立方向１２方向）方向へのアース端子１５０の変位が規制される。この変位規制によってアース口金３００Ｅ−１のベース部１１０におけるピン部１５１の根元周辺の応力集中が緩和され、アース口金３００Ｅ−１の強度及び耐衝撃性が高まる。  以下に、本実施の形態１のアース口金３００Ｅ−１の詳細を説明する。
【００１１】
（照明器具の構成）
図１は、本実施の形態１に係る照明器具１０００の斜視図である。
図２は、照明器具１０００の図１におけるＸ方向矢視である。図１、図２に示すように、照明器具１０００は、器具本体１０１０と、アース側ソケット１０２０Ｅ、給電側ソケット１０２０Ｆとを備える。照明器具１０００は、直管形の照明ランプ９００が取り付けられる。照明器具１０００は、器具本体１０１０の長手方向の一端側に、給電機能を持たず、照明ランプ９００の端部の保持及びアース機能を有するアース側ソケット１０２０Ｅを備え、長手方向の他端側に給電側の給電側ソケット１０２０Ｆを備え、照明ランプ９００を装着することができる。
【００１２】
（照明ランプの外観）
図３は、照明ランプ９００の外観の例を示す図であり、照明ランプ９００の平面図及び斜視図である。図３の斜視図は、アース口金３００Ｅ−１の部分と、給電口金３００Ｆ−３の部分とを示したものである。給電口金３００Ｆ−３は実施の形態３で詳しく説明する。
【００１３】
実施の形態１において、照明ランプ９００として直管形のＬＥＤ（発光ダイオード）ランプを例に説明を進めるが、照明ランプ９００の形状は直管形に限定されるものではなく、照明ランプ９００の種類もＬＥＤに限定されるものではない。
【００１４】
照明ランプ９００は、図３の平面図のように、円筒状のアース口金３００Ｅ−１と、円筒の筒管６００と、円筒状の給電口金３００Ｆ−３とを備える。実施の形態１、２では照明ランプ９００は給電口金３００Ｆ−３を備えてもよいが、従来の給電口金でもよい。実施の形態１、２では照明ランプ９００は、アース口金３００Ｅ−１（実施の形態１）、アース口金３００Ｅ−２（実施の形態２）を備えればよい。
【００１５】
図３の斜視図のように、給電口金３００Ｆ−３は、口金筐体１００と、１対の給電端子（給電ピン）である給電端子３１０Ｆと給電端子３２０Ｆとを備える。
【００１６】
また図３の斜視図のように、アース口金３００Ｅ−１はアース端子１５０（ＧＮＤ端子、グランド端子）を備える。アース端子１５０は、ピン部１５１と先端板部１５２とを備える。後述する口金筐体１００は例えば樹脂であり、給電端子３１０Ｆと給電端子３２０Ｆとアース端子１５０とは例えば金属である。
【００１７】
（アース口金）
以下にアース口金３００Ｅ−１を説明する。アース口金３００Ｅ−１は、口金筐体１００（後述の図４）と、アース端子１５０と、ホルダー２００（後述の図６）とを備える。まず口金筐体１００から説明する。
【００１８】
（口金筐体）
図４〜図６を参照して口金筐体１００を説明する。
図４は、アース端子１５０を装着状態の口金筐体１００の斜視図である。
図５（ａ）（ｂ）は、図４の上面図及び底面図である。
図６（ａ）（ｂ）はそれぞれ、図５のＡ−Ａ断面図、Ｂ−Ｂ断面図である。
図４〜図６では口金筐体１００がアース端子１５０を有する状態で示している。口金筐体１００（図１）は、おおよそ、図６（ａ）において中心線１１を軸にＡ−Ａ断面を回転した回転体形状である。
【００１９】
（口金筐体）
口金筐体１００は、ベース部１１０、壁部１２０、突出筒部１３０（突部）、ホルダー係止用フック１４０（係合部）を備える。
【００２０】
（ベース部）
ベース部１１０は円盤状（板状）である。
【００２１】
（壁部）
壁部１２０は、ベース部１１０の周縁からベース部１１０の厚さＢ（図６（ａ））の一方の厚さ方向に起立する環状である。壁部１２０の起立する方向を壁部起立方向１２と呼ぶ。
【００２２】
（突出筒部）
突出筒部１３０は、壁部１２０の内側でベース部１１０から壁部起立方向１２に起立する。突出筒部１３０は、図５のように円盤状のベース部１１０の略中央部分から起立している。図６に示すように突出筒部１３０は中空円筒形状であり、途中に、壁部起立方向１２の側と、その反対側とを仕切る、板状（丸板状）の仕切部１３２が形成されている。なお突出筒部１３０の仕切部１３２の壁部起立方向１２側は中空となっているが、中実状でも構わない。なお、仕切部１３２の上側はアース端子１５０があるので中空である。図６等に示すように、突出筒部１３０は１本であるが複数本でも構わない。
なお、図６（ｂ）に「突出筒部１３０の外径φＤ１及び壁部起立方向１２方向長さＨ１」と、「口金筐体１００の外径φＤ２及び壁部起立方向１２方向長さＨ２」の例を記載した。図６（ｂ）のように、φＤ１＝φ７、Ｈ１＝９、φＤ２＝φ３０、Ｈ２＝１８である。単位はｍｍである。比率で言えば、Ｄ１／Ｄ２＝０．２３、Ｈ１／Ｈ２＝０．５である。
【００２３】
（ホルダー係止用フック）
ホルダー係止用フック１４０（図５、図６）は、壁部１２０の内周側に形成される。ホルダー係止用フック１４０は、図５（ｂ）のように、１２０°おきに３箇所に配置される。ホルダー係止用フック１４０の個数、及び１２０°という配置角度は一例である。３個のホルダー係止用フック１４０をホルダー係止用フック１４０ａ，１４０ｂ，１４０ｃとする。なお区別の必要がないときはホルダー係止用フック１４０と記す。図６（ａ）のように、ホルダー係止用フック１４０ａは壁部起立方向１２方向で、突出先端部１３１のやや壁部起立方向１２よりに配置される。ホルダー係止用フック１４０ａ〜１４０ｃはそれぞれ、後述するホルダー２００のホルダー側係合部２２０ａ〜２２０ｃ（図７、図８）と係合する。ホルダー係止用フック１４０（係合部）とホルダー側係合部２２０（被収納体側係合部）との係合関係は、後述する図１８、図１９の説明で後述する。
【００２４】
（アース端子１５０）
アース端子１５０（柱状部）は、図６（ａ）のように、壁部起立方向１２と反対方向にベース部１１０から起立する。樹脂で成形されるときには、口金筐体１００は、口金筐体用の金型にアース端子１５０がインサートされた状態で成形（インサート成形）される。図５、図６に示すように、アース端子１５０は、突出筒部１３０が起立するベース部１１０の反対側において、突出筒部１３０と略同じ位置（ベース部１１０の略中央部分）から壁部起立方向１２と反対方向に起立する。
【００２５】
（ホルダー２００）
次に図７〜図１０を参照してホルダー２００（被収納体）を説明する。
図７は、ホルダー２００の斜視図である。
図８は、ホルダー２００の図７とは別の方向の斜視図である。
図９は、ホルダー２００の六面図である。図９（ａ）（ｂ）（ｃ）（ｄ）（ｅ）（ｆ）それぞれ、正面図、右側面図底面図、左側面図、上面図、背面図である。
図１０は、図９（ａ）のＡ−Ａ断面図である。
ホルダー２００は後述する図１７（４−３）のように、照明ランプ９００組立て後において、口金筐体１００のベース部１１０と壁部１２０とで形成される筐体空間１０１に収納される被収納体である。ホルダー２００は、口金筐体１００と同様に樹脂で成形される。  ホルダー２００は、図７のようにホルダー側ベース部２１０、ホルダー側係合部２２０、ホルダー側変位抑制部２３０を備えている。ホルダー側変位抑制部２３０は、図７のホルダー側ベース部２１０の裏側の部位（図９（ｆ）、図１０）である。
【００２６】
（ホルダー側ベース部２１０）
ホルダー側ベース部２１０（被収納側ベース部）は、口金筐体１００のベース部１１０と同様に円盤状である。照明ランプ９００の組立て後において、ホルダー側ベース部２１０は、口金筐体１００のベース部１１０に対向して配置される（後述の図１１、図１７（４−３））。図７のように、ホルダー側ベース部２１０は、ヒートシンク取付部２１１と、筒管ガイド部２１２とを備える。照明ランプ９００組立て状態においてホルダー側ベース部２１０は、ベース部１１０に対向するが、組立て状態で、ヒートシンク取付部２１１は、ベース部１１０に対向する側の反対側のホルダー側ベース部２１０の周縁の一部（図７の矢印１３の範囲）に沿って、配置（図７の矢印１３の範囲）される。
（１）ヒートシンク取付部２１１は、長手形状をなすヒートシンク４００（後述する図１２、図１４等）の一端が取り付けられる。ヒートシンク取付部２１１は、図７のように、ホルダー側ベース部２１０から矢印１８の方向に起立する中空形状であり、その水平断面（矢印１８方向を法線とする断面）は偏平した中空楕円形状である。照明ランプ９００組立て後はベース部１１０とホルダー側ベース部２１０とは対向するので、矢印１８方向は照明ランプ９００において、図６の壁部起立方向１２と一致する。つまりヒートシンク取付部２１１は照明ランプ９００装に着状態で、壁部起立方向１２に起立する。開口である挿入口２１１ａは、ヒートシンク４００（例えばアルミ製）の一方の端部が挿入される。ヒートシンク取付部２１１にはスリット２１１ｂが形成されている。
（２）筒管ガイド部２１２は、照明ランプ９００の組立て時において、筒管ガイド部２１２の外周側の外周部２１２ｃ（図７、図８）が、ヒートシンク取付部２１１の外周側の外周部２１１ｃ（図７）と共に、筒管６００（筒管６００の端部の内周面）をガイド（図１７（４−３））する。図９のように、ホルダー側ベース部２１０には図８の破線矢印１４の方向を長手方向とする、細長い略楕円状の貫通穴２１０ｂが形成されている。貫通穴２１０ｂは、必要な場合には、アース端子１５０へ接続するリード線を通過させる。貫通穴２１０ｂをあけることでホルダー側ベース部２１０の剛性及び強度が低下するが、筒管ガイド部２１２は、この剛性及び強度の低下分を一部補う効果をもつ。
【００２７】
（ホルダー側係合部２２０）
ホルダー側係合部２２０（被収納側係合部）は口金筐体１００のホルダー係止用フック１４０と係合することで、照明ランプ９００組立て後において、口金筐体１００に対する壁部起立方向１２へのホルダー２００の移動を拘束する。図７〜図９に示すように、ホルダー側係合部２２０は、上記の様にホルダー係止用フック１４０ａ〜１４０ｃに対応してホルダー側ベース部２１０の外周部２１０ａに形成される。３個のホルダー側係合部２２０をそれぞれ、ホルダー側係合部２２０ａ、２２０ｂ、２２０ｃとする。なお区別の必要がないときは単にホルダー側係合部２２０と記載する。ホルダー側係合部２２０ａ〜２２０ｃはそれぞれホルダー係止用フック１４０ａ〜１４０ｃに対応する。ホルダー側係合部２２０はホルダー側ベース部２１０の略円形状の外周に、３箇所、１２０°おきに配置したが，ホルダー係止用フック１４０の説明でも述べたように一例である。ホルダー側係合部２２０の個数、配置角度等は限定されないのは、ホルダー係止用フック１４０と同様である。図７に示すように、ホルダー側係合部２２０の形状は、突起であるホルダー係止用フック１４０が適合して嵌る形状に形成された、凹形状である。ホルダー側係合部２２０とホルダー係止用フック１４０との係合関係は図１８、図１９等の組立て工程の説明で後述する。
【００２８】
（ホルダー側変位抑制部）
ホルダー側ベース部２１０は、略円盤状のホルダー側ベース部２１０の中心部分領域に、ホルダー側変位抑制部２３０（被収納側変位抑制部）を有する。背面図の図９（ｆ）、及び図９（ａ）のＡ−Ａ断面である図１０に示す破線領域が、ホルダー側変位抑制部２３０である。ホルダー側変位抑制部２３０は、ホルダー側ベース部２１０のヒートシンク取付部２１１が起立する側の裏面の平面領域である。ホルダー側変位抑制部２３０は、照明ランプ９００において、ベース部１１０に加わる力（図１１のＦ２）、あるいはアース端子１５０を介してベース部１１０に加わる力（図１１のＦ１）による突出筒部１３０の壁部起立方向１２への変位を、突出先端部１３１と当たることで抑制する。ホルダー側変位抑制部２３０の裏にはヒートシンク取付部２１１の上面部２１１ｅ（図８、図９（ａ））が横切っているので、ホルダー側変位抑制部２３０の強度を高めている。また、上面部２１１ｅにはネジ貫通穴２１ｄが開けられた厚板部２１１ｆ（図８）によってさらに補強されている。さらにホルダー側変位抑制部２３０の裏にはヒートシンク４００が取り付けられるので、この点からも変形せず、強度が保たれる。上面部２１１ｅは正面図である図９（ａ）において、位置直線形状ではなく、横長の富士山形なので、さらに、強度が高くなっている。さらに、ヒートシンク取付部２１１は、ヒートシンク４００に隙間なくネジ５００で固定されるので変形しない。なおネジ５００の位置はホルダー側変位抑制部２３０の裏側直近である。
【００２９】
次に図１１〜図１９を参照して、アース口金３００Ｅ−１を有する照明ランプ９００の組立て手順を説明する。
図１１は、照明ランプ９００組立て後の口金筐体１００とホルダー２００との位置関係を示す図である。図１１は図１７（４−３）に対応する。
図１２は、口金筐体１００と、ホルダー２００と、光源ユニット７００との関係を示す図である。
図１３は、図１２の光源ユニット７００のＨ−Ｈ断面図である。
図１４〜図１７は、照明ランプ９００の組立て手順１〜４に対応する図である。
図１８は、ホルダー係止用フック１４０を示す図である。
図１８（ａ）は、ホルダー係止用フック１４０ａの斜視図である。
図１８（ｂ）は、図１８（ａ）のＺ方向矢視である。
図１８（ｃ）は、図１８（ｂ）のＤ−Ｄ断面図である。
図１４〜図１７は図３のＹ方向矢視に相当する。なお図１７では口金筐体１００は簡略化した「図３のＢ−Ｂ断面」として表した。
【００３０】
（照明ランプの組立て手順）
（組立て手順１）
まずホルダー２００を光源ユニット７００に挿入（圧入）する。ここで光源ユニット７００は、ＬＥＤ７１１が実装されたＬＥＤ基板７１０（ライトバー）と、ヒートシンク４００とを備える。組立て手順を具体的に説明する。図１４（１−１）、（１−２）に示すように、ホルダー２００のヒートシンク取付部２１１の挿入口２１１ａを、ヒートシンク４００の端部に挿入する。
【００３１】
（組立て手順２）
次に、ホルダー２００と光源ユニット７００とをネジ５００でネジ止めする。図１５（２）は、ネジ５００でネジ止めした状態を示す。ネジ５００は、図７、図８で説明すれば、破線矢印１４の方向に挿入されることとなり、ヒートシンク取付部２１１の上部（破線矢印１４の方向を下部、反対方向を上部と呼ぶ）に形成されたネジ貫通穴２１１ｄを貫通し、図１２に示す、ヒートシンク４００の上面に形成された上面ネジ穴４０１にネジ込まれて、ホルダー２００とヒートシンク４００とを締結する。図１２のＨ−Ｈ断面を示す図１３に、ヒートシンク４００の上面に形成された上面ネジ穴４０１を示した。
【００３２】
（組立て手順３）
次に、筒管６００に、ネジ５００でホルダー２００が締結された光源ユニット７００を挿入する。図１６（３−１）（３−２）は、筒管６００への挿入工程を示す。筒管６００の端部は、ヒートシンク取付部２１１の外周部２１１ｃと、筒管ガイド部２１２の外周部２１２ｃとで受ける（図７）。
【００３３】
（組立て手順４）
次に、アース端子１５０を有する口金筐体１００を、ホルダー２００に覆合（フックによる係止）する。図１７（４−１）（４−２）（４−３）は、口金筐体１００をホルダー２００に取り付ける工程を示す。口金筐体１００のホルダー２００への装着は、口金筐体１００の内周側に形成されたホルダー係止用フック１４０ａ〜１４０ｃ（図５（ｂ））と、ホルダー２００のホルダー側ベース部２１０の外周部２１０ａに形成されたホルダー側係合部２２０ａ〜２２０ｃ（図７、図８）との係合による。図１７（４−１）のように、ホルダー２００を右方向１５（以下、係合方向１５という）へ移動させて、ホルダー係止用フック１４０とホルダー側係合部２２０とを係合させる。図１７（４−１）（４−２）（４−３）はそれぞれ、係合前、係合直前、係合後を示す。
【００３４】
図１８（ａ）は、ホルダー係止用フック１４０ａの拡大斜視図である。図１８（ａ）の係合方向１５は、図１７（４−１）の係合方向１５であり、Ｚ方向は図５（ｂ）のＺ方向である。図１８（ｂ）は図１４（ａ）のＺ方向矢視である。図１８（ｃ）は、図１４（ｂ）のＤ−Ｄ断面である。図１８（ｃ）に示すように、ホルダー係止用フック１４０ａのＤ−Ｄ断面は、係合方向１５の下部１４１が、係合方向１５を法線とする面に対して角度θ傾斜した断面形状である。あるいは下部１４１は係合方向１５に凸となるＲ形状でもよい。
図１９（ａ）〜（ｃ）は、図１７の（４−１）〜（４−３）におけるホルダー係止用フック１４０とホルダー側係合部２２０との係合状態を模式的に説明する図である。図１９（ａ）〜（ｃ）はホルダー係止用フック１４０ｂ（左側）、１４０ｃ（右側）が現れている。これは図１９が、照明ランプ９００の組立て後の図５（ａ）のＥ−Ｏ−Ｅ断面に対応する模式図であるためである。図７の破線１６の部分が、図１９のホルダー係止用フック１４０ｃ、ホルダー側係合部２２０ｃがある側に対応する。また図１９（ａ）〜（ｃ）の破線１７は、ホルダー側変位抑制部２３０の係合方向１５における位置を示す。図１９（ａ）において、口金筐体１００の挿入が開始される。図１９（ｂ）において、ホルダー係止用フック１４０がホルダー側ベース部２１０の外周部２１０ａ（図７）と干渉して、口金筐体１００が弾性変形する。ホルダー係止用フック１４０はさらに挿入されると、図１９（ｃ）において、ホルダー係止用フック１４０がホルダー側ベース部２１０の外周部２１０ａを乗り越えてホルダー側係合部２２０と係合し、係合が終了する。このとき係合方向１５における、突出先端部１３１とホルダー側変位抑制部２３０（破線１７）との隙間（距離）は１ｍｍ程度である。
【００３５】
（５）給電口金も同様の手順で取り付ける。
【００３６】
なお、図６（ａ）に示すように、ピン部１５１はその周囲にフランジ部１５３を有する。フランジ部１５３はアース端子１５０に加わる力（図１１のＦ１）の一部を受けることができる。また図示はしていないが、図６（ａ）の破線領域１５４には、フランジ部１５３同様の第２フランジ部１５４−１を形成してもよい。第２フランジ部１５４−１は、例えば平歯車形状である。第２フランジ部１５４−１を平歯車と仮定すれば、中心線１１が平歯車の回転軸である。第２フランジ部１５４−１を平歯車形状とすることで、アース端子１５０の中心線１１まわりの口金筐体１００に対する回転と、壁部起立方向１２と反対方向へのアース端子１５０の抜けを防止できる。
【００３７】
このように、図１１のように、突出先端部１３１とホルダー側変位抑制部２３０との間は１ｍｍ程度の隙間である。よって、照明ランプ９００としての完成品状態においてアース端子１５０に加わる力、ベース部１１０も加わる力等によりベース部１１０が弾性変形して突部先端部／１３１が係合方向１５へ変位すると、突出先端部１３１は１ｍｍ程度へだって位置するホルダー側変位抑制部２３０に当たることで変位が規制される。よって壁部起立方向１２へのアース端子１５０の変位が規制され、ベース部１１０におけるピン部１５１の根元周辺の応力集中が緩和される。
また、１ｍｍ程度の隙間を設けているので、設計上の寸法公差を例えば０．８ｍｍ程度とすることで、ホルダー係止用フック１４０がホルダー側係合部２２０と係合終了前に突出先端部１３１がホルダー側変位抑制部２３０に当たってしまう不具合品の発生を低減できるので、歩留まりが向上する。
また、ホルダー２００は、ヒートシンク取付部２１１を兼用するので、突出先端部１３１の変位を規制する専用部品を用意する必要がないので、部品点数の増加を抑えることができる。
【００３８】
このように実施の形態１のアース口金３００Ｅ−１によれば、口金筐体（樹脂筐体）とは別の衝撃緩和部材（ホルダー２００）が、アース端子の変移を規制する。このため、ホルダー２００を口金筐体に装着すれば、アース端子が直管形ＬＥＤランプ内部方向に変移した場合に、ホルダー２００が、アース端子の所定以上の変位を規制する。ホルダー２００により、口金筐体（樹脂キャップ）のアース端子の付根部分に対する応力集中を緩和し、口金筐体（樹脂キャップ）の破損を回避することができる。
【００３９】
実施の形態２．
図２０〜図２５を参照して実施の形態２のアース口金３００Ｅ−２及び照明ランプ９００を説明する。以下では実施の形態１と異なる点を説明する。
【００４０】
図２０（ａ）（ｂ）（ｃ）はそれぞれ、アース口金３００Ｅ−２の上面図、底面図、（ｂ）のＡ−Ａ断面を示す。
図２１は、口金筐体１００と、筒管６００に挿入された光源ユニット７００との関係を示す図である。図２１（ａ）は、照明ランプ９００における、図２０（ａ）のＢ−Ｂ断面に相当する断面である。また図２１（ｂ）は図２１（ａ）のＸ方向矢視であり、ヒートシンク４００−２の端面を示す。
図２２は、照明ランプ９００の組立て後の状態を示す図である。
【００４１】
（アース口金）
アース口金３００Ｅ−２は、図２０に示すように、口金筐体１００とアース端子１５０とを備える。アース口金３００Ｅ−２は、実施の形態１のアース口金３００Ｅ−１と以下の点が相違する。
（１）アース口金３００Ｅ−２は、ホルダー２００が装着されない。
（２）アース口金３００Ｅ−２の口金筐体１００は、ホルダー係止用フック１４０が形成されていない（ホルダー２００が装着されないため）。
（３）アース口金３００Ｅ−２の口金筐体１００は、ヒートシンク４００−２へ固定される際の位置決めに使用される位置決め部１４５−２を備える。
（４）アース口金３００Ｅ−２の口金筐体１００のベース部１１０には、ネジ５１０が貫通する貫通穴１１１が形成されている。
【００４２】
（位置決め部）
位置決め部１４５−２は、図２０（ｂ）に示しように、突出筒部１３０の下方（円盤状であるベース部１１０の径方向より）に形成されている。位置決め部１４５−２は、突出筒部１３０と同様に、ベース部１１０から壁部起立方向１２（図２０（ｃ））に起立する。位置決め部１４５−２は内部が中空であり、この中空の内部空間１４６−２はベース部１１０の貫通穴１１１と連通し、図２２に示すように、ネジ５１０を通過させるガイドの役割も兼ねる。なお位置決め部１４５−２がネジ５１０をガイドする内部空間１４６−２を有するのは一例であり、貫通穴１１１とは別の位置に設けて位置決めだけの機能をもたせても構わない。図２０（ｃ）に示すように、壁部起立方向１２における突出先端部１３１と、位置決め部１４５−２の先端部１４７−２との距離関係は、先端部１４７−２の方が、突出先端部１３１よりも壁部起立方向１２へ△Ｌだけ長い。この長さ△Ｌは、１ｍｍ程度である。これは、図２２に示す照明ランプ９００において、変位抑制部４２０（ヒートシンク４００−２の端面）と先端部１４７−２との壁部起立方向１２（後述の口金筐体１００の係合方向１５に同じ）の隙間を１ｍｍ程度に位置決めするためである。
【００４３】
（ヒートシンク）
アース口金３００Ｅ−２とアース口金３００Ｅ−１との相違に伴い、実施の形態２のヒートシンク４００−２は、図２２に示すように、長手形状の端部に、ネジ穴４１１が形成されたネジ穴部４１０を有する。また、実施の形態１ではホルダー側ベース部２１０のホルダー側変位抑制部２３０が突出先端部１３１の変位を規制したが、実施の形態２では、ヒートシンク４００−２の端部が変位抑制部４２０として機能する。図２２に示すように、突出筒部１３０の下部１３３が変位抑制部４２０に当たるようになっている。
【００４４】
次に図２３〜図２５を参照して、アース口金３００Ｅ−２を有する照明ランプ９００の組立て手順を説明する。図２３〜図２５は、照明ランプ９００の組立て手順１〜３を示す図である。図２３〜図２５は図５のＢ−Ｂ断面に相当する断面を示している。
【００４５】
（照明ランプの組立て手順）
（組立て手順１）
まず、図２３（１）のように光源ユニット７００を筒管６００に挿入する。実施の形態２の光源ユニット７００は図２１のように、ＬＥＤ７１１を実装したＬＥＤ基板７１０と、ヒートシンク４００−２とを備える。なお図２３〜図２５では、光源ユニット７００からＬＥＤ７１１を実装したＬＥＤ基板７１０を省略している。
【００４６】
（組立て手順２）
次に図２４（２−１）（２−２）に示すように、アース口金３００Ｅ−２（アース端子１５０を備えた口金筐体１００）を筒管６００に覆合する。
【００４７】
（組立て手順３）
次に、図２５に示すようにアース口金３００Ｅ−１とヒートシンク４００−２とをネジ５１０で締結する。つまり、ネジ５１０を、ベース部１１０の貫通穴１１１及び連通する位置決め部１４５−２の内部空間１４６−２を貫通させ、ヒートシンク４００−２のネジ穴部４１０のネジ穴４１１にネジ込む。これにより、アース口金３００Ｅ−２をヒートシンク４００−２に取り付ける。このとき位置決め部１４５−２の先端部１４７−２がヒートシンク４００−２の変位抑制部４２０に当たり、ヒートシンク４００−２に対する口金筐体１００の取り付け位置が位置決めされる。
【００４８】
（組立て手順４）
給電口金も同様の手順で取り付ける。
【００４９】
照明ランプ９００の完成状態では、図２２、図２５（ａ）に示すように、突出先端部１３１と変位抑制部４２０（ヒートシンク４００の端面）との隙間は１ｍｍ程度である。図２５（ｂ）は図２５（ａ）において挿入方向から見たときの突出先端部１３１と変位抑制部４２０（ヒートシンク４００の端面）との位置関係を模式的に描いた図である。図２５（ｂ）の二重丸が突出先端部１３１を示し、突出先端部１３１を受ける（当たる）ヒートシンク４００−２の端部領域が変位抑制部４２０である。
【００５０】
以上のように、実施の形態２の照明ランプ９００は、アース口金３００Ｅ−２と、変位抑制部４２０を有するヒートシンク４００−２を備えたので、実施の形態１に対してホルダー２００を用いることなく、少ない部品点数で実施の形態１と同様の効果を得ることができる。
【００５１】
なお、以上の実施の形態１，２では照明ランプ９００において、突出先端部１３１とホルダー側変位抑制部２３０との隙間（実施の形態１）、突出先端部１３１と変位抑制部４２０との隙間（実施の形態２）は、１ｍｍ程度と述べた。この隙間については、隙間なく接すること（０ｍｍ）が理想的だが、実際は組立ての精度を勘案した設計上のクリアランスを設定する。この例が１ｍｍである。つまり隙間は０ｍｍでも構わない。
【００５２】
実施の形態１，２のアース端子は電気を通す導体を想定するが、ソケットへの機械的な支持機能だけを持たせる場合は、導体でなくとも構わない。例えば、アース端子に相当するものは口金筐体１００と一体成形の樹脂でもよい。
【００５３】
また実施の形態１，２の口金筐体１００は、円筒形状の中空体を説明したが、本発明はこれに限定されない。例えば多角形形状の中空体でも構わない。
【００５４】
実施の形態３．
図２６、図２７を参照して実施の形態３の、給電口金３００Ｆ−３を説明する。実施の形態３では実施の形態１，２と異なる点を説明する。図２６は、給電口金３００Ｆ−３の正面図、左側面図、右側面図を示す。
図２７は、図２６のＡ−Ａ断面、Ｂ−Ｂ断面を示す。なお図２７において給電端子３１０Ｆは曲げ箇所３０１Ｆまで幅Ｂ２で形成され、それ以降は幅Ｂ１で形成される。
【００５５】
実施の形態１、２ではアース口金を述べたが、実施の形態１、２のホルダー側変位抑制部２３０（ホルダー２００）による突出先端部１３１の変位規制（実施の形態１）、変位抑制部４２０（ヒートシンク４００−２）による突出先端部１３１の変位規制（実施の形態２）は、給電口金にも適用することができる。実施の形態３では、給電口金への適用を説明する。給電口金３００Ｆ−３では、アース口金における突出筒部１３０（突部）に相当する部位は、導体である給電端子３１０Ｆ、３２０Ｆのうち給電口金の内部に収まる部分３１２Ｆ，３２２Ｆ（二本の給電端子の一端）であり、外力や衝撃が加わるアース端子（柱状部）に相当する部位は、給電口金の外側に突き出たそれぞれの給電端子の部分３１１Ｆ、３２１Ｆ（二本の給電端子の他端）である。図２７に示す破線２８は給電側の口金に設けられる、ホルダー側変位抑制部２３０あるいは変位抑制部４２０の位置を示す。給電側の口金においても、図２７（ａ）のＡ−Ａ断面図のように、破線２８と、給電ピンの部分３１２Ｆ、３２２Ｆの端部との隙間は１ｍｍ程度である。
【００５６】
実施の形態３のように、ホルダー側変位抑制部２３０による突出先端部１３１の変位規制（実施の形態１）、変位抑制部４２０による突出先端部１３１の変位規制（実施の形態２）を、給電口金へ適用した場合にも、実施の形態１，２と同様の効果を得ることができる。
【００５７】
実施の形態３では給電口金の内部に収まる部分３１２Ｆ，３２２Ｆに突出筒部１３０の機能を持たせたが、一例である。給電口金の内部に収まる部分３１２Ｆ，３２２Ｆとは別に、実施の形態１の突出筒部１３０を、給電口金の内部に収まる部分３１２Ｆ，３２２Ｆと干渉しない位置に配置してもよい。例えば給電口金の内部に収まる部分３１２Ｆ，３２２Ｆの間でもよいし、給電口金の内部に収まる部分３１２Ｆ，３２２Ｆを内部に収納する中空形状でもよい。
【００５８】
以上の実施の形態１〜３により、口金の突出筒部１３０（実施の形態１，２）、突出筒部１３０に相当する口金ピンの部分（実施の形態３）は、照明ランプ９００の長手方向におけるランプ内部方向への変位が規制される。よって、口金筐体自体に大幅な変更をすることなく、強度及び耐衝撃性の高い口金を提供できる。
【００５９】
以上、実施の形態を説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明はこれらの実施の形態に限定されるものではなく、必要に応じて種々の変形が可能である。
【符号の説明】
【００６０】
１１  中心線、１２  壁部起立方向、１３  矢印、１４  破線矢印、１５  係合方向、１６  線、１７  破線、１８  矢印、１００  口金筐体、１０１  筐体空間、１１０  ベース部、１１１  貫通穴、１１２  起立面、１２０  壁部、１３０  突出筒部、１３１  突出先端部、１３２  仕切部、１４０，１４０ａ，１４０ｂ，１４０ｃ  ホルダー係止用フック、１４５−２  位置決め部、１４５−６  筐体区間、１４５−７  先端部、１５０  アース端子、１５１  ピン部、１５２  先端板部、２００  ホルダー、２１０  ホルダー側ベース部、２１０ａ  外周部、２１０ｂ  貫通穴、２１１  ヒートシンク取付部、２１１ａ  挿入口、２１１ｂ  スリット、２１１ｃ  外周部、２１１ｄ  ネジ貫通穴、２１１ｅ  上面部、２１１ｆ  厚板部、２１２  筒管ガイド部、２１２ｃ  外周部、２２０，２２０ａ，２２０ｂ，２２０ｃ  ホルダー側係合部、２３０  ホルダー側変位抑制部、３００Ｅ−１，３００Ｅ−２  アース口金、３００Ｆ−３  給電口金、３１０Ｆ，３２０Ｆ  給電端子、３１１Ｆ，３１２Ｆ，３２１Ｆ，３２２Ｆ  部分、４００，４００−２  ヒートシンク、４１０  ネジ穴部、４１１  ネジ穴、４２０  変位抑制部、５００，５１０  ネジ、６００  筒管、７００  光源ユニット、７１０  ＬＥＤ基板、７１１  ＬＥＤ、９００  照明ランプ、１０００  照明器具、１０１０  器具本体、１０２０Ｅ  アース側ソケット、１０２０Ｆ  給電側ソケット。
【図１】
2015018735.tif 000003
【図２】
2015018735.tif 000004
【図３】
2015018735.tif 000005
【図４】
2015018735.tif 000006
【図７】
2015018735.tif 000007
【図８】
2015018735.tif 000008
【図９】
2015018735.tif 000009
【図１０】
2015018735.tif 000010
【図１１】
2015018735.tif 000011
【図１２】
2015018735.tif 000012
【図１３】
2015018735.tif 000013
【図１４】
2015018735.tif 000014
【図１５】
2015018735.tif 000015
【図１６】
2015018735.tif 000016
【図１７】
2015018735.tif 000017
【図１８】
2015018735.tif 000018
【図１９】
2015018735.tif 000019
【図２０】
2015018735.tif 000020
【図２１】
2015018735.tif 000021
【図２２】
2015018735.tif 000022
【図２３】
2015018735.tif 000023
【図２４】
2015018735.tif 000024
【図２６】
2015018735.tif 000025
【図５】
2015018735.tif 000026
【図６】
2015018735.tif 000027
【図２５】
2015018735.tif 000028
【図２７】
2015018735.tif 000029